(57)【特許請求の範囲】
【請求項１】
複数本の柱と、これらの柱の上端間同士を結合する天井梁および下端間同士を結合する床梁を含み箱状に形成されかつ角隅部を寄せ合わせて配置される複数の建物ユニットと、これらの建物ユニット上に配置される屋根とを備えて構成されるユニット式建物であって、
前記角隅部を横切る方向に複数の建物ユニット間にわたって補強梁が設けられ、この補強梁の下部は横方向に隣接する前記建物ユニットの隣り合う前記天井梁間に挟み込まれるとともに、上部は前記天井梁より上方に突出し、
前記補強梁には当該補強梁の上端面とほぼ同じ高さの上端面を有する添梁が設けられ、
この添梁は、前記天井梁より上方に突出した前記補強梁の略全長にわたる両側面に設けられ、
前記屋根は前記添梁と補強梁とにわたって設けられる複数の屋根束に支持されていることを特徴とするユニット式建物。
【請求項２】
請求項１に記載のユニット式建物において、前記屋根束はベースプレートを介して設けられ、このベースプレートは、前記補強梁の上端面を含む前記両添梁の上端面間にわたって設けられていることを特徴とするユニット式建物。
【請求項３】
請求項２に記載のユニット式建物において、前記添梁の前記屋根束が設けられる部位の側面には、補強リブが設けられていることを特徴とするユニット式建物。
【請求項４】
請求項２又は３に記載のユニット式建物において、前記補強梁の一端部は、隣接する前記建物ユニットの隣り合う柱の上端面間にわたるとともに、前記建物ユニット同士を接合する第１接合部材に連結され、前記補強梁の他端部は、隣接する少なくとも２つの前記建物ユニットの隣り合う柱の上端面間にわたるとともに、前記建物ユニット同士を接合する第２接合部材に連結されていることを特徴とするユニット式建物。
【発明の詳細な説明】
【０００１】
【発明の属する技術分野】
本発明は、箱形の複数の建物ユニットと、これらの建物ユニットの上方に設けられる屋根とを備えたユニット式建物に関する。
【０００２】
【背景技術】
柱、天井梁および床梁を含むフレームを備えた複数の箱形の建物ユニットと、これらの建物ユニット上に設けられた屋根とを備えたユニット式建物が知られている。このようなユニット式建物において、横方向に隣接する建物ユニットのそれぞれの角部における柱を取り除き、複数の建物ユニットにわたる大空間の居室を構成することが行われている（特願２０００−１９２５２１公報）。
この場合、柱を取り除いたことにより強度の低下が生じるので、複数の建物ユニット間にわたる補強部材（補強梁）を設け、この補強梁によって建物ユニットの天井梁を補強して建物ユニットの強度を確保している。補強梁は、断面が例えば矩形パイプ状に形成され、その下部は隣り合う天井梁に挟まれ、上部は天井梁上端面より上方に突出して設けられることがある。
【０００３】
【発明が解決しようとする課題】
ところで、屋根は複数枚の屋根パネルで構成されることがあり、このような屋根パネルは、屋根の中央側では屋根束で支持され、屋根の軒側端部では、屋根受けブラケットで支持されている。また、屋根束は、複数の建物ユニットの隣り合う天井梁の上面に立設することもあるが、隣り合う柱の上端部に立設することが強度上から好ましい。
一方、前記補強梁を使用した複数の建物ユニットが上階に設けられることがある。この場合、補強梁は、下部が天井梁間に挟まれ、上部が天井梁上端面より上方に突出して設けられているため、補強梁の幅寸法が小さく、屋根束を立設することが困難であるという問題がある。
【０００４】
本発明の目的は、複数の建物ユニット間に建物ユニットの天井梁の上端面より高い上面を有する補強梁を設けた場合でも、屋根を支持するための屋根束を容易に設けることができるユニット式建物を提供することにある。
【０００５】
【課題を解決するための手段】
本願発明は複数本の柱と、これらの柱の上端間同士を結合する天井梁および下端間同士を結合する床梁を含み箱状に形成されかつ角隅部を寄せ合わせて配置される複数の建物ユニットと、これらの建物ユニット上に配置される屋根とを備えて構成されるユニット式建物であって、前記角隅部を横切る方向に複数の建物ユニット間にわたって補強梁が設けられ、この補強梁の下部は横方向に隣接する前記建物ユニットの隣り合う前記天井梁間に挟み込まれるとともに、上部は前記天井梁より上方に突出し、前記補強梁には当該補強梁の上端面とほぼ同じ高さの上端面を有する添梁が設けられ、この添梁は、前記天井梁より上方に突出した前記補強梁の略全長にわたる両側面に設けられ、前記屋根は前記添梁と補強梁とにわたって設けられる複数の屋根束に支持されていることを特徴とするユニット式建物である。
また、前記屋根束はベースプレートを介して設けられ、このベースプレートは、前記補強梁の上端面を含む前記両添梁の上端面間にわたって設けられているとともに、前記添梁の前記屋根束が設けられる部位の側面には、補強リブが設けられていることを特徴とする。
更に、前記補強梁の一端部は、隣接する前記建物ユニットの隣り合う柱の上端面間にわたるとともに、前記建物ユニット同士を接合する第１接合部材に連結され、前記補強梁の他端部は、隣接する少なくとも２つの前記建物ユニットの隣り合う柱の上端面間にわたるとともに、前記建物ユニット同士を接合する第２接合部材に連結されていることを特徴とするユニット式建物である。
【０００６】
このような本発明によれば、複数の建物ユニット間に、建物ユニットの天井梁の上端面より高い上面を有する補強梁を設けた場合でも、補強梁と添梁との上端面の高さが同じとなっているので、これらの補強梁と添梁とにわたって屋根束を容易に設けることができ、これにより、屋根の取り付けも容易となる。
【０００８】
また、前記屋根束７０はベースプレート７１を介して設けられ、このベースプレート７１は、前記補強梁２０の上端面を含む前記両添梁６０の上端面間にわたって設けられているものにあっては、屋根束の構成部材の大きさを必要以上に大きくしなくてもよくなり、その結果、製作や取扱いが容易となる。
【０００９】
更に、前記添梁６０の前記屋根束７０が設けられる部位の側面には、補強リブ６７が設けられていることによって、添梁の強度が大きくなるので、屋根束を介して伝わる屋根の荷重によって添梁が変形することがない。
【００１０】
更にまた、前記補強梁２０の一端部は、隣接する前記建物ユニット３Ａ、３Ｆの隣り合う柱１０の上端面間にわたるとともに、前記建物ユニット３Ａ、３Ｆ同士を接合する第１接合部材３０に連結され、前記補強梁２０の他端部は、隣接する少なくとも２つの前記建物ユニットの隣り合う柱の上端面間にわたるとともに、前記建物ユニット同士を接合する第２接合部材に連結されていることを特徴とするものでは、補強梁の一端部と他端部とが、それぞれ、第１接合プレートと第２接合プレートとに連結されているので、補強梁の建物ユニットとの連結が強固となる。また、第１接合プレートと第２接合プレートとは、隣接する建物ユニット同士を接合するとともに、補強梁とも接合することができ、部材の兼用化をはかることができる。
【００１１】
【発明の実施の形態】
以下に、本発明の一実施形態を図面に基づいて説明する。
図１には、ユニット式建物１の全体が示されており、このユニット式建物１は、複数の下階建物ユニット２と、この下階建物ユニット２上に載置される複数の上階建物ユニット３と、これらの上階建物ユニット３上に載置される屋根である寄せ棟屋根４とを備えて構成され、この寄せ棟屋根４は、複数枚の屋根パネル４５（図１３参照）を組み合わせて構成されている。
【００１２】
各下階建物ユニット２および上階建物ユニット３は、図２に示すように、箱状に形成されている。
すなわち、各建物ユニット２，３は、四隅に立設される４本の柱１０と、これらの柱１０の上端間同士を、仕口６を介して結合する各４本の天井梁１１、および下端間同士を結合する各４本の床梁１２とで構成されるフレーム（骨組み）１３を備えている。天井梁１１は、各２本ずつの長辺天井梁１１Ａ、短辺天井梁１１Ｂで形成され、長辺天井梁１１Ａ間には、多数本の天井小梁１４が架けわたされ、これらの天井小梁１４に所定の天井材を取り付けて天井が形成されるようになっている。また、床梁１２は、各２本ずつの長辺床梁１２Ａ、短辺床梁１２Ｂで形成され、長辺床梁１２Ａには多数本の根太１５が架けわたされ、これらの根太１５に所定の床材を取り付けて床が形成されるようになっている。
【００１３】
このようなユニット式建物１において、図３に示すように、建物の短辺方向に隣り合う上階建物ユニット３Ａ、３Ｂ、３Ｃと、上階建物ユニット３Ｄ、３Ｅ、３Ｆとは、所定の間隔Ｌをあけて配置されており、この間隔Ｌ内に一部（下部）を挟み込ませて補強部材である補強梁２０が設けられている。
この補強梁２０の上部には、当該補強梁２０を挟み込んで、かつ、全長にわたって添部材である添梁６０が設けられ、この添梁６０の所定位置上に屋根束７０が立設され、この屋根束７０等により前記屋根が支持されている。
【００１４】
補強梁２０は、上階建物ユニット３Ａ、３Ｆの外側端部から上階建物ユニット３Ｂ、３Ｅの建物ユニット３Ｃ、３Ｄ側の端部にわたっており、この補強梁２０により、上階建物ユニット３Ａ、３Ｂ、３Ｅおよび３Ｆの隣り合う前記天井梁１１が補強されている。そして、天井梁１１が補強されている上階建物ユニット３Ａ、３Ｂ、３Ｅおよび３Ｆの、それぞれの一つの角部が集まる部位では、図４に示すように、各ユニットの１本の柱が省略されている。
なお、省略される柱の部位には、輸送や組立用として、仮想線で示すように仮柱１０Ａが設けられている。
【００１５】
補強梁２０は、図５に示すように、縦横比の大きな第１、第２チャンネル部材２１、２２で形成され、これらのチャンネル部材２１、２２は、互いの開口部を向き合わせて連結固定され、全体として断面扁平角筒状に形成されている。そして、この梁本体２１の厚みＴが、前記隙間Ｌ内に納まる寸法となっており、かつ、挟み込まれるようになっている。
【００１６】
補強梁２０の一端部は、ユニット式建物１の外側に向かって低くなる傾斜状に切断された切断部２０Ａとなっている。そして、この切断部２０Ａの傾斜は、前記屋根４の傾斜と同じ傾斜となっている。
また、補強梁２０の一端部には、当該補強梁２０の高さ方向ほぼ中心部に、先端から反対側端部に向かって延びる水平な差込み溝２０Ｂが形成されている。この差込み溝２０Ｂには、次に述べる接合プレート３０が差込まれるようになっている。
【００１７】
このような補強梁２０は、一端（外側の建物ユニット側）が、第１接合部材である接合プレート３０を介して建物ユニット３Ａと３Ｆとの柱頭に支持され（図５参照）、補強梁２０の中央部が、中央接合プレート４０を介して、４個集まる建物ユニット３Ａ、３Ｂ、３Ｅ、３Ｆの仕口６に支持され（図６参照）、他端が第２接合部材である端部柱頭接合プレート５０を介して、４個集まる建物ユニット３Ｂ〜３Ｅの柱頭に支持されている（図７参照）。
【００１８】
図５に示すように、接合プレート３０は、隣り合う建物ユニット３Ａと３Ｆの隣接する仕口６の上面を覆う大きさの平面四角形状に形成されている。
このような接合プレート３０には、２つの仕口６との連結用に、２つのボルト穴３０Ａおよび位置決め穴３０Ｂがあけられ、また、裏面に２本の位置決めピン３１が下向きに設けられている。さらに、接合プレート３０には、後で述べる屋根受けブラケット７５と連結させるためのボルト穴３０Ｃもあけられている。
一方、仕口６には、ボルト穴３０Ａに対応するボルト穴６Ａ、位置決めピン３１に対応する位置決め穴６Ｂ、位置決め穴３０Ｂに対応する位置決めピン７が設けられている。
従って、位置決めピン３１を位置決め穴６Ｂに差し込み、位置決め穴３０Ｂに位置決めピン７を差し込むことにより、接合プレート３０は、隣り合う建物ユニット３Ａと３Ｆの隣接する仕口６に位置決めされ、これにより、建物ユニット３Ａと３Ｆ同士が接合されることになる。
【００１９】
接合プレート３０の上面、かつ、補強梁２０側端部には、前記添梁６０を連結させるための添梁連結部材３２が設けられている。この添梁連結部材３２は、第１、第２部材３２Ａ、３２Ｂで構成され、それぞれの部材３２Ａ、３２Ｂは、断面Ｌ字状部材（アングル材）にリブ３２Ｄを設けて形成されている。また、各部材３２Ａ、３２Ｂは、リブ３２Ｄ同士を所定間隔離し、かつ、対向させた状態で設けられている。
各部材３２Ａ、３２Ｂのリブ３２Ｄ間には、補強梁２０の差込み溝２０Ｂに接合プレート３０を差込んだとき、補強梁２０の差込み溝２０Ｂから上部の部分が通り抜けるようになっている（図８参照）。また、第１、第２部材３２Ａ、３２Ｂには、水平方向に図示しないボルト穴がそれぞれ２個あけられるとともに、建物の外側方向の面に裏ナット３６が設けられている。
【００２０】
図６に示すように、補強梁２０の中央部には、補強梁２０の両側面に固着されて中央接合プレート４０が設けられている（１方の中央接合プレート４０は隠れている）。各中央接合プレート４０は、それぞれ、隣接する４つの建物ユニット３Ａ、３Ｂ、３Ｅ、３Ｆの隣り合う４本の仮柱１０Ａが集まる部位の２つの仕口６の上部を覆う大きさに形成されている。なお、中央接合プレート４０を、隣接する４つの仕口６を覆う大きさに形成し、補強梁２０の側面に細溝を形成し、その細溝に中央接合プレート４０を差し込む構成としてもよい。
【００２１】
各中央接合プレート４０には、それぞれ、２つのボルト穴４０Ａ、位置決め穴４０Ｂおよびプレート４０の裏面に下向きに設けられた位置決めピン４１が設けられている。一方、各仕口６には、それぞれ、ボルト穴４０Ａに対応するボルト穴６Ａ、位置決め穴４０Ｂに対応する位置決めピン７、位置決めピン４１に対応する位置決め穴６Ｂが設けられている。
従って、位置決めピン４１を位置決め穴６Ｂに差し込み、位置決め穴４０Ｂに位置決めピン７を差し込むことにより、各接合プレート４０は、隣接する建物ユニット３Ａ、３Ｂ、３Ｅ、３Ｆの隣り合う仕口６に位置決めされ、これにより、建物ユニット３Ａ、３Ｂ、３Ｅ、３Ｆ同士が接合されることになる。
【００２２】
図７に示すように、補強梁２０の他端部には端部柱頭接合プレート５０が設けられ、この端部柱頭接合プレート５０は、隣接する建物ユニット３Ｂ〜３Ｅの隣り合う４つの仕口６を覆う大きさに形成されている。端部柱頭接合プレート５０は、補強梁２０の他端部、かつ、上下方向ほぼ中間位置に水平方向にあけられた細溝２０Ｃに一部を差し込んで取り付けられている。このような端部柱頭接合プレート５０には、４つのボルト穴５０Ａ（１つは隠れている）、４つの位置決め穴５０Ｂ（２つは隠れている）およびプレート５０の裏面に下向きに設けられた４本の位置決めピン５１（２本は隠れている）が設けられている。
【００２３】
一方、各仕口６には、それぞれ、ボルト穴５０Ａと対応するボルト穴６Ａ、位置決め穴５０Ｂと対応する位置決めピン７、位置決めピン５１と対応する位置決め穴６Ｂが設けられている。
従って、位置決めピン５１を位置決め穴６Ｂに差し込み、位置決め穴５０Ｂに位置決めピン７を差し込むことにより、各接合プレート５０は、隣接する建物ユニット３Ｂ〜３Ｅの隣り合う仕口６に位置決めされ、これにより、建物ユニット３Ｂ〜３Ｅ同士が接合されることになる。
なお、補強梁２０の他端部は、端部が、建物ユニット３Ｂ、３Ｅにおける外側の柱１０の端部と同じ位置となるような長さに形成されている。
【００２４】
図８〜１０に示すように、補強梁２０には添梁６０が設けられている。この添梁６０は、補強梁２０の高さより低い寸法、例えば半分程度の寸法のチャンネル部材で構成されており、それぞれ補強梁２０を挟んで背中合わせに取り付けられ、かつ、補強梁２０の全長にわたって設けられている。そして、添梁６０の上面は、補強梁２０の上面とほぼ同じ高さとなっている。また、添梁６０の上フランジ部６０Ａ、下フランジ部６０Ｂの幅は、天井梁１１Ｂの幅とほぼ同じ寸法となっている。
【００２５】
添梁６０の一端部は、図８に示すように、先端が低くなる傾斜状に形成されるとともに、連結部材６１を介して添梁連結部材３２に当接され、かつ、添梁６０の下フランジ部６０Ｂが天井梁１１Ｂの上方に配置されている。連結部材６１は、プレート部材を下フランジ部６０Ｂの端部から傾斜に向かって立ち上げて形成され、この連結部材６１は、添梁連結部材３２の大きさとほぼ同じ大きさに形成されている。
連結部材６１には、水平方向にボルト穴６１Ａが２個あけられており、このボルト穴６１Ａからボルト６２を差し込み、添梁連結部材３２に固着されている裏ナット３６と螺合させることにより、添梁６０を補強梁２０に固定することができるようになっている。
【００２６】
各添梁６０の中央部には、図９に示すように、前記中央接合プレート４０に対応する取付けプレート６５が設けられており、この取付けプレート６５および添梁６０の下フランジ部６０Ｂと、添梁６０の上フランジ部６０Ａとの間には複数枚の補強リブ６７が設けられている。
取付けプレート６５の幅は、当該幅と添梁６０の下フランジ部６０Ｂの幅とを合計したとき、中央接合プレート４０の幅とほぼ同じ寸法となるような寸法に形成されている。このような取付けプレート６５には、前記中央接合プレート４０のボルト穴４０Ａに対応するボルト穴６５Ａが２箇所にあけられ、また、下フランジ部６０Ｂには、前記仕口６の位置決めピン７および中央接合プレート４０の位置決め穴４０Ｂに対応する位置決め穴６５Ｂがあけられている。
【００２７】
従って、建物ユニット３Ａ、３Ｂ、３Ｅ、３Ｆの角部の仕口６に取り付けられた前記補強梁２０に対して、添梁６０を添わせるとともに取付けプレート６５の部位を中央接合プレート４０に合わせた後、位置決め穴４０Ｂを貫通した仕口６の位置決めピン７に、下フランジ部６０Ｂの位置決め穴６５Ｂを貫通させるとともに、取付けプレート６５のボルト穴６５Ａから中央接合プレート４０のボルト穴４０Ａに向けてボルト８を差し込み、中央接合プレート４０の裏面でボルト８とナットとを螺合させることにより、添梁６０が、補強梁２０に固定されることになる。
【００２８】
添梁６０の他端部には、図１０に示すように、前記端部柱頭接合プレート５０に対応する取付けプレート６５が設けられている。この取付けプレート６５の構造は、前記中央接合プレート４０と対応する前記取付けプレート６５と同じものが使用されている。そのため、詳しい説明は省略する。
このような取付けプレート６５には、端部柱頭接合プレート５０のボルト穴５０Ａに対応するボルト穴６５Ａが２箇所にあけられ、下フランジ部６０Ｂには、仕口６の位置決めピン７および接合プレート５０の位置決め穴５Ｂに対応する位置決め穴６５Ｂがあけられている。
【００２９】
従って、建物ユニット３Ｂ、３Ｅの角部の仕口６に取り付けられた前記補強梁２０に対して、添梁６０を添わせるとともに取付けプレート６５の部位を端部柱頭接合プレート５０に合わせた後、端部柱頭接合プレート５０の位置決め穴５０Ｂを貫通した仕口６の位置決めピン７に、下フランジ部６０Ｂの位置決め穴６５Ｂを貫通させるとともに、取付けプレート６５のボルト穴６５Ａから端部柱頭接合プレート５０のボルト穴５０Ａに向けてボルト８を差し込み、端部柱頭接合プレート５０の裏面でボルト８とナットとを螺合させることにより、添梁６０の端部が、補強梁２０に固定されることになる。
なお、図８〜１０において、添梁６０は補強梁２０の一方の側面にのみ示されているが、前述のように、補強梁２０を挟んで背中合わせ設けられるようになっている。
【００３０】
前記屋根束７０は、図１１，１２に示すように、添梁６０の中央部および他端部において、中央接合プレート４０および端部柱頭接合プレート５０の上方に設けられている。
すなわち、屋根束７０は、ベースプレート７１と、このベースプレート７１に固着される本体７２と、本体７２の上部に設けられる屋根パネル受けプレート７３（図３，４参照）とを含んで構成されている。
【００３１】
ベースプレート７１は、補強梁２０を挟んだ両添梁６０，６０にわたる大きさに形成され、その四隅にボルト穴７１Ｂがあけられている。本体７１は、例えば角パイプ部材で形成され、ベースプレート７１の中央部に固着されている。また、屋根パネル受けプレート７３は、上面が屋根４の傾斜と同じ傾斜となっており、屋根４を構成する屋根パネル４５が取り付けられるようになっている。
【００３２】
一方、補強梁２０を挟んだ両添梁６０，６０の上フランジ部６０Ａには、上記ボルト穴７１Ｂに対応する４つのボルト穴６０Ｃがあけられている。
従って、屋根束７０を両添梁６０，６０および補強梁２０の上面に載せ、ベースプレート７１の上方からボルト７３をボルト穴７１Ｂからボルト穴６０Ｃに差し込み、両添梁６０，６０の上フランジ部６０Ａの裏面で、図略のナットに螺合させることで、屋根束７０を、添梁６０および補強梁２０に取り付けることができる。なお、これらの屋根束７０の他に、全体をバランスよく支持できるように、図示しない屋根束が適宜設けられている。
【００３３】
寄せ棟屋根４を構成する屋根パネル４５の軒先側端部は、図１３に示すように、屋根パネル受け部材である屋根パネル受けブラケット７５により支持されている。この屋根パネル受けブラケット７５は、プレート部材７６と、このプレート部材７６上に設けられる屋根支持部材７７とで構成され、勝手違いに形成されたものが、前記接合プレート３０において、補強梁２０を挟んで両側に設けられるようになっている。
【００３４】
屋根支持部材７７の上面７５Ａは屋根４の傾斜と同じ勾配の傾斜面となっている。また、屋根支持部材７７の端部は、プレート部材７６の一方側端部に揃えられている。そして、このような支持部材３５の上面に、ボルト７８により屋根パネル４５が取り付けられている。さらに、プレート部材７６には、接合プレート３０のボルト穴３０Ａ、３０Ｃにそれぞれ対応するボルト穴７６Ａ、７６Ｃがあけられている。従って、屋根パネル受けブラケット７５を、接合プレート３０に載せ、ボルト穴７６Ａから接合プレート３０のボルト穴３０Ａに向けてボルト８を差し込むとともに、ボルト穴７６Ｂから接合プレート３０のボルト穴３０Ｃに向けてボルト９を差し込み、各ボルト８，９を接合プレート３０の裏面で、ナットと螺合させることにより、屋根パネル受けブラケット７５を接合プレート３０に取り付けることができるようになっている。
【００３５】
接合プレート３０には、２つの屋根パネル受けブラケット７５が、それぞれ屋根パネル４５を取り付けた状態で、接合プレート３０の第１、第２部材３２Ａ、３２Ｂの間隔とほぼ同じ間隔をあけて設けられ、支持部材７７は互いに対向して配置されている。
なお、図３に示すように、ユニット式建物１の上階建物ユニット３の角部には、寄せ棟屋根４の軒先側端部を支持する屋根パネル受けブラケット８０が設けられ、各上階建物ユニット３Ａ〜３Ｆの接合部には、接合プレートを兼ねるとともに、屋根４の軒先側端部を支持する屋根パネル受けブラケット８１が設けられている。
【００３６】
次に、本実施形態の作用を説明する。
予め工場で生産した複数の下階建物ユニット２および複数の上階建物ユニット３をトラックで建設現場に搬送し、基礎上に複数の下階建物ユニット２を順次載置、固定するとともに、隣り合う建物ユニット同士を連結板等で連結する。
下階建物ユニット２の上に、複数の上階建物ユニット３を載置するとともに、前記連結板で下階建物ユニット２と上階建物ユニット３とを互いを連結する。
【００３７】
次いで、隣接する６つの上階建物ユニット３Ａ〜３Ｆのうち、４つの上階建物ユニット３Ａ、３Ｂ、３Ｅ、３Ｆの互いに対向する短辺梁同士間に、例えばクレーンで吊り下げて補強梁２０を配置させるとともに、補強梁２０の下半分を挟み込ませ、かつ、接合プレート３０、中央接合プレート４０および端部柱頭接合プレート５０を介して、上階建物ユニット３Ａ、３Ｂ、３Ｅ、３Ｆの仕口６に取り付ける。
【００３８】
この際、補強梁２０の一端部では、接合プレート３０を隣接する建物ユニット３Ａと３Ｆの隣り合う仕口６上に載置し、位置決めした後、ボルト８で結合する。補強梁２０の中央部では、中央接合プレート４０を隣接する４つの建物ユニット３Ａ、３Ｂ、３Ｅ、３Ｆのそれぞれの仕口６上に載置するとともに、位置決めピン７，６６により互いを位置決めする。また、補強梁２０の他端部では、端部柱頭接合プレート５０を隣接する４つの建物ユニット３Ｂ〜３Ｅのそれぞれの仕口６上に載置するとともに、位置決めピン７，６６により位置決めする。
【００３９】
次いで、添梁６０を補強梁２０に取り付ける。
まず、クレーン等で吊り下げた添梁６０の一端部を、連結部材６１を接合プレート３０の添梁連結部材３２に係合させるとともに、添梁６０の中央部の取付けプレート６５を補強梁２０の中央接合プレート４０上に載せ、さらに、添梁６０の他端部の取付けプレート６５を補強梁２０の端部柱頭接合プレート５０上に載せる。
そして、連結部材６１と添梁連結部材３２とをボルト６２で連結するとともに、添梁６０の中央部および他端部の取付けプレート６５と、中央接合プレート４０、端部柱頭接合プレート５０とをボルト８でそれぞれ連結し、添梁６０を補強梁２０、言い換えれば、建物ユニット３Ａ〜３Ｆに固定する。
【００４０】
この後、添梁６０の中央部および他端部上に、屋根束７０のベースプレート７１を載せ、そのベースプレート７１をボルト７３で添梁６０に取り付けて、屋根束７０を設ける。また、別の屋根束を必要に応じて所定位置に立設する。
軒先側に屋根パネル受けブラケット７５が取り付けられた屋根パネル４５を、上記屋根パネル受けブラケット７５と接合プレート３０とをボルト８で連結することにより取り付け、順次、他の屋根パネル４５を配置し、かつ、互いの屋根パネル同士を連結して、寄せ棟屋根４を上階建物ユニット３上に設ける。
【００４１】
このような実施形態によれば、次のような効果がある。
(1) 複数の建物ユニット３Ａ、３Ｂ、３Ｃと３Ｄ、３Ｅ、３Ｆ間に、建物ユニット３Ａ等の天井梁１１の上端面より高い上面を有する補強梁２０を設けた場合でも、補強梁２０に添梁６０を取り付け、補強梁２０と添梁６０との上端面の高さが同じとなっているので、これらの補強梁２０と添梁６０とにわたって屋根束７０を容易に設けることができ、これにより、屋根の取り付けも容易となる。
【００４２】
(2) 添梁６０が補強梁２０の両側面に設けられているので、添梁６０と補強梁２０との上面の面積が広くなり、これにより、屋根束７０の設置が容易となる。
(3) 屋根束７０は、ベースプレート７１と本体７２とを含み構成され、屋根束７０を設けるに際しては、ベースプレート７１を、補強梁２０の上端面を含む両添梁６０の上端面間にわたって設ければよいので、本体７２の大きさを必要以上に大きくしなくてもよくなり、その結果、製作や取扱いが容易となる。
【００４３】
(4) 添梁６０の取付けプレート６５は、補強リブ６７によって補強されているので、添梁６０の強度が大きくなり、屋根束７０を介して伝わる屋根４の荷重によって添梁６０が変形することがない。
(5) 補強梁２０の一端部と他端部とが、それぞれ、接合プレート３０と端部柱頭接合プレート５０とに連結されているので、補強梁２０の建物ユニット３Ａ等との連結が強固となる。また、接合プレート３０と端部柱頭接合プレート５０とは、隣接する建物ユニット３Ａ、３Ｆ等同士を接合するとともに、補強梁２０とも接合することができ、部材の兼用化を図ることができ、省部材化を図ることができる。
【００４４】
なお、本発明は前記実施形態に限定されるものではなく、本発明の目的を達成できるものであれば、次のような変形形態でもよいものである。
例えば、前記実施形態では、添梁６０を補強梁２０の全長にわたって添わせて形成したが、これに限らない。屋根パネル４５を支持する屋根束７０を、添梁６０と補強梁２０との上面に立設することができればよいので、少なくとも、補強梁２０の中央部および他端部に添梁６０が設けられていればよい。
また、前記実施形態では、補強梁２０を第１、第２チャンネル部材２１、２２の２部材で形成したが、これに限らず、例えば、縦横比の大きな角パイプを使用してもよい。
【００４５】
さらに、前記実施形態では、添梁６０をチャンネル部材で形成したが、これに限らず、例えば、Ｌ型鋼部材、板状部材あるいは矩形パイプ状部材等を使用してもよい。要は、補強梁２０の上面との間で、所定の大きさの屋根束を設けることができればよい。
また、前記実施形態では、屋根が寄せ棟用屋根４となっているが、これに限らず、本願発明は、屋根束７０を用いるものであれば、屋根等、他の屋根にも適用可能である。
【００４６】
【発明の効果】
以上に説明したように、本願の発明によれば、複数の建物ユニット間に、建物ユニットの天井梁の上端面より高い上面を有する補強梁を設けた場合でも、補強梁と添梁との上端面の高さが同じとなっているので、これらの補強梁と添梁とにわたって屋根束を設けることができ、これにより、屋根を容易に支持することができる。
また、添梁が補強梁の両側面に設けられているので、添梁と補強梁との上面の面積が広くなり、これにより、屋根束を容易に設けることができる。
【００４８】
更に、ベースプレートを、補強梁上端面を含む両添梁上端面間にわたって設ければよいので、屋根束の構成部材を必要以上に大きくしなくてもよく、製作や取扱いが容易となる。
そして、補強リブによって添梁の強度が大きくなるので、屋根束を介して伝わる屋根の荷重によって添梁が変形することがない。
【００５０】
そして、補強梁の一端部と他端部とが、それぞれ、第１接合プレートと第２接合プレートとに連結されているので、補強梁の建物ユニットとの連結が強固となる。また、第１接合プレートと第２接合プレートとは、隣接する建物ユニット同士を接合するとともに、補強梁とも接合することができ、部材の兼用化を図ることができ、省部材化を図ることができる。
【図面の簡単な説明】
【図１】本発明に係るユニット式建物を示す全体斜視図である。
【図２】前記実施形態のユニット式建物を構成する建物ユニットの骨組みを示す全体斜視図である。
【図３】前記実施形態のユニット式建物の上階建物ユニットと補強梁と屋根との相互関係を示す斜視図である。
【図４】図３においてIV−IV線に沿って断面した縦断面図である。
【図５】前記実施形態の補強梁の一端部と接合プレートと建物ユニット柱頭部との相互関係を示す分解斜視図である。
【図６】前記実施形態の補強梁の中央部と建物ユニット柱頭部との関係を示す分解斜視図である。
【図７】前記実施形態の補強梁の他端部と建物ユニットの柱頭部との関係を示す分解斜視図である。
【図８】前記実施形態の補強梁の一端部と添梁の一端部との取付関係を示す分解斜視図である。
【図９】前記実施形態の補強梁の中央部と添梁の中央部との取付関係を示す分解斜視図である。
【図１０】前記実施形態の補強梁の他端部と添梁の他端部との取付関係を示す分解斜視図である。
【図１１】前記実施形態の添梁と屋根束を取付ける状態を示す分解斜視図である。
【図１２】前記実施形態の添梁と屋根束を取付ける他の部位での状態を示す分解斜視図である。
【図１３】前記実施形態の屋根パネル受けブラケットと屋根パネルとを示す分解斜視図である。
【符号の説明】
１  ユニット式建物
２  下階建物ユニット
３  上階建物ユニット
４  屋根
１０  柱
１１  天井梁
２０  補強梁
３０  第１接合部材である接合プレート
４０  中央接合プレート
５０  第２連結プレートである端部柱頭接合プレート
６５  取付けプレート
７０  屋根束
７１  ベースプレート
【図１】
0004205884.tif 000002
【図２】
0004205884.tif 000003
【図３】
0004205884.tif 000004
【図４】
0004205884.tif 000005
【図５】
0004205884.tif 000006
【図６】
0004205884.tif 000007
【図７】
0004205884.tif 000008
【図８】
0004205884.tif 000009
【図９】
0004205884.tif 000010
【図１０】
0004205884.tif 000011
【図１１】
0004205884.tif 000012
【図１２】
0004205884.tif 000013
【図１３】
0004205884.tif 000014